(57)【要約】【課題】狙った方向に正確にメダルを放出させることができ、破損等により不正行為が行われるのを防止し得るメダルシューターを提供する。【解決手段】メダルゲーム機の筐体内部に構築されたプレイフィールド内へメダルを放出するためメダルゲーム機に備えられるメダルシューター（５Ａ，５Ｂ）において、プレイヤーがメダルを投入するハンドル部（５２）から、当該メダルをメダルゲーム機の筐体内へ導入するガイドレール部（５３）までを形成する主体部（５１）が、メダルゲーム機の機台（１）に対して固定され、メダルの放出が行われる先端領域（５４）が、メダルの放出方向を変化させ得るよう上記主体部（５１）に対して左右に回動可能なよう構成されると共に、その回動操作を上記ハンドル部（５２）から行う先端回動操作手段（５５）が設けられたことを特徴とする。【選択図】図５
2010162256.tif 000002
【特許請求の範囲】
【請求項１】
メダルゲーム機の筐体内部に構築されたプレイフィールド内へメダルを放出するためメダルゲーム機に備えられるメダルシューター（５Ａ，５Ｂ）において、
プレイヤーがメダルを投入するハンドル部（５２）から、当該メダルをメダルゲーム機の筐体内へ導入するガイドレール部（５３）までを形成する主体部（５１）が、メダルゲーム機の機台（１）に対して固定され、メダルの放出が行われる先端領域（５４）が、メダルの放出方向を変化させ得るよう上記主体部（５１）に対して左右に回動可能なよう構成されると共に、その回動操作を上記ハンドル部（５２）から行う先端回動操作手段（５５）が設けられたことを特徴とするメダルシューター（５Ａ，５Ｂ）。
【請求項２】
上記先端回動操作手段（５５）が、ハンドル部（５２）に設けられたプレイヤーが操作可能なハンドル側回転ホイール（５５１）と、先端領域（５４）に取り付けられた先端側回転ホイール（５５２）と、これらの回転ホイール（５５１，５５２）間に掛け渡された伝動ベルト（５５３）と、から構成されたことを特徴とする請求項１に記載のメダルシューター（５Ａ，５Ｂ）。
【発明の詳細な説明】
【技術分野】
【０００１】
本発明は、メダルプッシャーゲーム等のメダルゲーム機におけるメダル放出のためのメダルシューターに関する。
【背景技術】
【０００２】
従来から広く普及しているメダルプッシャーゲーム機は、内部がプレイヤーから見えるように前面が透明なアクリル板等で遮蔽された筐体内にゲームフィールドが設けられ、当該ゲームフィールドには、平坦なテーブルと、当該テーブルの上面に接しながら前後方向に往復スライドせしめられる平坦なプッシャーとが設けられている。
上記平坦なテーブル上面とプッシャー上面には多数のメダルが載置され、ゲーム中にもプレイヤーの操作によって新たなメダルがメダルシューターから放出されるようになっている。
【０００３】
そのようなメダルシューターにおいて、プレイフィールドへのメダルの放出方向を変更可能とするために、下記特許文献１に記載のもののように、従来は、ゲーム機の機台に対してメダルシューター自体を左右に回動可能なように軸支するようにしていた。
即ち、従来のメダルシューターは、プレイヤーがメダルを投入するハンドル部から、当該メダルをメダルゲーム機の筐体内へ導入するガイドレール部を経て、メダルの放出される先端部までが一体的に構成され、メダルシューター全体がメダルゲーム機の機台に対して左右に回動可能なように軸支されていた。
その場合、プレイフィールド内へメダルを打ち込む際、プレイヤーは、メダルが狙った方向へ打ち出されるように、ハンドル部を片手で握ってメダルシューターの角度を調整した上で、もう一方の手でハンドル部に設けたメダル投入口にメダルを投入するようにしていたが、このメダル投入のときにハンドル部に触れるため、予め定めていた角度が変化してしまい、メダルの放出方向が狂ってしまうという問題があった。
【０００４】
また、プレイヤーがメダルシューターに想定外の力を加えるなどの行為をした場合、メダルシューターの軸支部が破損し易く、悪意のあるプレイヤーが故意に破損させ、想定外の操作による様々な不正行為が行われることも多かった。
そのため、下記特許文献２や３に記載の発明の如く、そのような不正行為を防止する手段を設けることも必要であった。
【発明の概要】
【発明が解決しようとする課題】
【０００５】
本発明は、上記の問題点を解決するためになされたものであり、その目的とするところは、（１）ハンドル部のメダル投入口にメダルを投入する際、メダルシューターがブレることがなく、確実にターゲットを狙ってメダルを放出させることができる、（２）過度の力が加えられることによりメダルシューターの軸支部が破損されて、不正行為が行われるのを防止する、（３）耐久性を向上させる、（４）プレイヤーや通行人がメダルシューターに衝突するなどの事故を防止し、安全性を向上させる、（５）ゲーム機筐体のレイアウトの自由度を向上させる、等々、多くの利点を有するメダルシューターを提供することにある。
【課題を解決するための手段】
【０００６】
上記の目的は、
メダルゲーム機の筐体内部に構築されたプレイフィールド内へメダルを放出するためメダルゲーム機に備えられるメダルシューターにおいて、
プレイヤーがメダルを投入するハンドル部から、当該メダルをメダルゲーム機の筐体内へ導入するガイドレール部までを形成する主体部が、メダルゲーム機の機台に対して固定され、メダルの放出が行われる先端領域が、メダルの放出方向を変化させ得るよう上記主体部に対して左右に回動可能なよう構成されると共に、その回動操作を上記ハンドル部から行う先端回動操作手段が設けられたこと、
を特徴とするメダルシューターによって達成できる。
上記先端回動操作手段としては、ハンドル部に設けられたプレイヤーが操作可能なハンドル側回転ホイールと、先端領域に取り付けられた先端側回転ホイールと、これらの回転ホイール間に掛け渡された伝動ベルトと、から構成されたものを好適に用いることができる。
【発明の効果】
【０００７】
上記の如き構成であると、ハンドル部を含むメダルシューターの主体部がゲーム機の機台に対して固定されており、メダルの放出方向は先端回動操作手段により、先端領域が向く方向を変化させることによって調節されるため、メダル投入時にハンドル部に触れてもメダルの放出角度にブレが生じることがない。また、メダルシューターの主体部がゲーム機の機台に対して固定されているため、従来のように軸支部に無理な力が加えられて破損し、不正行為が行われるのを防止でき、また、耐久性も向上する。更にまた、メダルシューターの主体部がゲーム機の機台から突出することがないため、プレイヤーや通行人に衝突することがなくなって安全性が向上し、ゲーム機筐体のレイアウトの自由度も向上する。
【図面の簡単な説明】
【０００８】
【図１】本発明に係るメダルシューターを備えたメダルゲーム機の一実施例を正面側から見た斜視図である。
【図２】図１に示したメダルゲーム機を、メダルシューターの上方位置から見た状態を示す説明図である。
【図３】図１に示したメダルゲーム機の正面図である。
【図４】本発明に係るメダルシューターの機能を説明するための模式図である。
【図５】本発明に係るメダルシューターを、その一部のカバーを取り外した状態で示す斜視図である。
【図６】本発明に係るメダルシューターの先端回動操作手段の一実施例を示す説明図である。
【図７】図６に示した先端回動操作手段の要部を示す説明図である。
【図８】本発明に係るメダルシューターの先端領域を右方向へ回動させた状態を示す説明図である。
【図９】本発明に係るメダルシューターの先端領域を左方向へ回動させた状態を示す説明図である。
【発明を実施するための形態】
【０００９】
以下、図面に示す実施例を参照しつつ、本発明を実施するための形態について詳細に説明する。
これらの図中、１はメダルゲーム機、１ａはゲーム機の内部と外部を仕切る隔壁板、２はゲームフィールド、３はディスプレイ装置、４はメダル払出口、５Ａ，５Ｂはメダルシューター、５１は主体部、５２はハンドル部、５２１はメダル投入口、５３はガイドレール部、５４は先端領域、５５は先端回動操作手段、５５１はハンドル側回転ホイール、５５２は先端側回転ホイール、５５３は伝動ベルトである。
【００１０】
図１〜図５に示すように、本発明に係るメダルシューター５Ａ，５Ｂは、メダルゲーム機の機台１（図示した実施例においては、機台１の隔壁板１ａ）に取り付けられ、そのハンドル部５２に設けたメダル投入口５２１に投入されたメダルが、ガイドレール部５３を通過して、その先端領域５４からゲーム機のゲームフィールド２内へ放出されるようになっている。図示した実施例においては、２人のプレイヤーが同時にプレイできるように、１台のメダルゲーム機に２基のメダルシューター５Ａ及び５Ｂが取り付けられている。
メダルシューター５Ａと５Ｂは、同様の構成を有するので、ここではメダルシューター５Ａについてのみ説明する。
【００１１】
メダルシューター５Ａは、大別して、メダル投入口５２１が設けられたハンドル部５２と、当該メダル投入口５２１に投入されたメダルをメダルゲーム機の筐体内へ導入するガイドレール部５３と、当該ガイドレール部５３の先端に設けられ、メダルの放出を行う先端領域５４とから構成されている。
ハンドル部５２からガイドレール部５３までは一体的に形成された主体部５１を構成し、当該主体部５１はゲーム機の機台１の隔壁板１ａに固定され、プレイヤーがハンドル部５２に触れても動かないようになっている。
プレイヤーがメダル投入口５２１に投入したメダルは、ガイドレール部５３内を転動しながら先端領域５４へ移動し、先端領域５４の先端からゲームフィールド２内へ放出される。
【００１２】
メダルの放出方向の変更、調節は、ガイドレール部５３の先端に取り付けられた先端領域５４を左右に回動させることにより行う。
即ち、図５〜図９に図示する如く、先端領域５４の基部はガイドレール部５３の先端部分に左右に回動可能なように取り付けられており、先端領域５４の基部に固着した先端側回転ホイール５５２を、これに巻き掛けられたループ状の伝動ベルト５５３を引き動かすことにより、回転ホイール５５２が回動し、これと共に、先端領域５４が回動するようになっている。
ループ状の伝動ベルト５５３のもう一方の端部は、ハンドル部５２に取り付けたハンドル側回転ホイール５５１の回転軸５５１ａに巻き掛けられ、プレイヤーがハンドル側回転ホイール５５１を回すと、伝動ベルト５５３を介して先端側回転ホイール５５２が回転し、先端領域５４が回動するようになっている。
ハンドル側回転ホイール５５１の回動操作を先端側回転ホイール５５２に確実に伝達するため、両回転ホイールの外周面に歯形を形成すると共に、伝動ベルト５５３の内壁面にもこれに対応する歯形を形成したものを用いることも推奨される。
【００１３】
プレイヤーがハンドル部５２から上記先端領域５４を左右に回動させる手段（先端回動操作手段５５）としては、さまざまな形態のものを採用できる。
即ち、先端領域５４を左右に回動させる角度量は最大１８０度程度であるので、ループ状の伝動ベルト５５３の代わりにワイヤを用いることも可能である。その場合、例えば、先端側回転ホイール５５２を時計方向に回動させるようバネ付勢しておき、当該先端側回転ホイール５５２の外周に巻き付けたワイヤをハンドル側から引いて、先端側回転ホイール５５２を反時計方向に回動させるようにする。その場合、ハンドル部には回転ホイールの代わりにレバーやボタンを設けて、これでワイヤを引いたり緩めたりすることにより、先端側回転ホイール５５２の回動量を変化させることができる。
また、回転ホイール５５２等を用いる代わりに、リンク機構や、ネジ、歯車等々を用いて、ハンドル部からの操作で先端領域５４を左右に回動させることも可能である。
従って、本発明は上記の実施例に限定されるものではなく、その目的の範囲内において、上記の説明から当業者が容易に想到し得るすべての変更実施例を包摂するものである。
【産業上の利用可能性】
【００１４】
本発明は上記の如く構成されるので、本発明によるときは、（１）ハンドル部のメダル投入口にメダルを投入する際、メダルシューターがブレることがなく、確実にターゲットを狙ってメダルを放出させることができる、（２）過度の力が加えられることによりメダルシューターの軸支部が破損されて、不正行為が行われるのを防止する、（３）耐久性を向上させる、（４）プレイヤーや通行人がメダルシューターに衝突するなどの事故を防止し、安全性を向上させる、（５）ゲーム機筐体のレイアウトの自由度を向上させる、等々、多くの利点を有するメダルシューターを提供し得るものであるから、本発明は産業上多大の利用価値を有するものである。
【符号の説明】
【００１５】
１        メダルゲーム機の機台
１ａ      隔壁板
２        ゲームフィールド
３        ディスプレイ装置
４        メダル払出口
５Ａ，５Ｂ  メダルシューター
５１      主体部
５２      ハンドル部
５２１    メダル投入口
５３      ガイドレール部
５４      先端領域
５５      先端回動操作手段
５５１    ハンドル側回転ホイール
５５２    先端側回転ホイール
５５３    伝動ベルト
【先行技術文献】
【特許文献】
【００１６】
【特許文献１】特開２００４−１６７００１号公報
【特許文献２】特開２００３−１２６５３６号公報
【特許文献３】特開２００５−２１８６３８号公報
【図１】
2010162256.tif 000003
【図２】
2010162256.tif 000004
【図３】
2010162256.tif 000005
【図４】
2010162256.tif 000006
【図５】
2010162256.tif 000007
【図６】
2010162256.tif 000008
【図７】
2010162256.tif 000009
【図８】
2010162256.tif 000010
【図９】
2010162256.tif 000011